(57)【要約】【課題】簡便に確実にユーザにエラーを通知できるエラー情報案内装置、エラー情報案内方法、及びプログラムを提供する。【解決手段】オーディオ装置１００は、エラーを検出するシステムマイコン９０と、エラーの詳細情報を記憶するメモリカード２００を接続するメモリカードインタフェース１０とを備える。システムマイコン９０は、エラーを検出し、且つ、メモリカードインタフェース１０がメモリカード２００と接続した場合に（Ｓ２０１；ＹＥＳ、Ｓ２０２；ＹＥＳ）、メモリカード２００からエラーの詳細情報を読み込んで（Ｓ２０３）、表示部８０又はスピーカ３５に通知させる（Ｓ２０６）。【選択図】図８
2009187618.tif 000002
【特許請求の範囲】
【請求項１】
電子機器の誤操作及び誤動作を含む複数のエラーのうちの少なくとも一つを検出するエラー検出手段と、
前記複数のエラーのうちの少なくとも一つの詳細情報を記憶する外部の記憶媒体に着脱可能に接続される接続手段と、
前記エラー検出手段が前記エラーを検出し、前記接続手段が前記記憶媒体と接続された場合に、検出された当該エラーに対応する詳細情報を前記記憶媒体より検索し、検索された当該エラーの詳細情報を読み込んで通知するエラー通知手段と、を備える、
ことを特徴とするエラー情報案内装置。
【請求項２】
前記エラー検出手段が前記エラーを検出した場合に、前記エラーを検出した旨を表示する表示手段をさらに備える、
ことを特徴とする請求項１に記載のエラー情報案内装置。
【請求項３】
前記エラー検出手段が検出するエラー毎に、前記表示手段が当該エラーを検出した旨の表示を終了する条件を対応付けて記憶されている記憶手段をさらに備え、
前記表示手段は、
前記記憶手段に前記エラーに対応付けて記憶されている条件が成立した時に、前記エラーを検出した旨の表示を終了する、
ことを特徴とする請求項２に記載のエラー情報案内装置。
【請求項４】
前記エラー通知手段は、
前記エラー検出手段が前記エラーを検出してから、前記表示手段が表示を終了するまでの期間に、前記接続手段が前記記憶媒体と接続した場合に、前記記憶媒体から前記エラーの詳細情報を読み込んで通知することが可能である、
ことを特徴とする請求項３に記載のエラー情報案内装置。
【請求項５】
前記記憶手段に記憶されている条件は、前記エラーの解除の検出である、
ことを特徴とする請求項３又は４に記載のエラー情報案内装置。
【請求項６】
前記記憶手段に記憶されている条件は、ユーザの操作の検出である、
ことを特徴とする請求項３乃至５に記載のエラー情報案内装置。
【請求項７】
前記エラー通知手段は、
前記エラー検出手段が前記エラーを検出してから、前記表示手段が表示を終了し、且つ、他の所定の条件が成立するまでの期間に、前記接続手段が前記記憶媒体と接続した場合に、前記記憶媒体から前記エラーの詳細情報を読み込んで通知することが可能である、
ことを特徴とする請求項３に記載のエラー情報案内装置。
【請求項８】
前記記憶手段に記憶されている条件は、前記エラー検出手段が前記エラーを検出してからの所定時間の経過である、
ことを特徴とする請求項３又は７に記載のエラー情報案内装置。
【請求項９】
前記記憶手段に記憶されている条件は、前記エラー検出手段が前記エラーを検出してからの所定時間の経過であり、
前記他の所定の条件は、前記エラーの解除又はユーザの操作の検出である、
ことを特徴とする請求項７に記載のエラー情報案内装置。
【請求項１０】
エラー通知手段が前記エラーの詳細情報を通知することが可能である期間に、当該通知可能な旨を報知する報知手段をさらに備える、
ことを特徴とする請求項４又は７に記載のエラー情報案内装置。
【請求項１１】
前記エラーの詳細情報は、テキストデータであり、
前記エラー通知手段は、文字を表示して前記エラーの詳細情報を通知する、
ことを特徴とする請求項１乃至１０の何れか１項に記載のエラー情報案内装置。
【請求項１２】
前記エラーの詳細情報は、音声データであり、
前記エラー通知手段は、音声を出力して前記エラーの詳細情報を通知する、
ことを特徴とする請求項１乃至１０の何れか１項に記載のエラー情報案内装置。
【請求項１３】
テキストデータを音声データに変換する変換手段をさらに備え、
前記エラーの詳細情報は、テキストデータであり、
前記変換手段は、前記記憶媒体が記憶する前記エラーの詳細情報をテキストデータから音声データに変換し、
前記エラー通知手段は、前記変換手段が音声データに変換した前記エラーの詳細情報を音声として出力する、
ことを特徴とする請求項１乃至１０の何れか１項に記載のエラー情報案内装置。
【請求項１４】
前記電子機器はオーディオ装置又は映像装置であり、当該エラー情報案内装置は当該電子機器に含まれる、
ことを特徴とする１乃至１３の何れか１項に記載のエラー情報案内装置。
【請求項１５】
電子機器の誤操作及び誤動作を含む複数のエラーのうちの少なくとも一つの詳細情報を記憶する外部の記憶媒体に着脱可能に接続される接続手段を備えるエラー情報案内装置のエラー情報案内方法であって、
前記複数のエラーのうちの少なくとも一つを検出するエラー検出ステップと、
前記記憶媒体と前記接続手段との接続を検出する接続検出ステップと、
前記エラー検出ステップで前記エラーを検出し、前記接続検出ステップで前記接続を検出した場合に、当該エラーに対応する詳細情報を前記記憶媒体より検索し、検索した当該エラーの詳細情報を読み込んで通知するエラー通知ステップと、を備える、
ことを特徴とするエラー情報案内方法。
【請求項１６】
電子機器の誤操作及び誤動作を含む複数のエラーの詳細情報を記憶する外部の記憶媒体に着脱可能に接続される接続手段を備えるコンピュータを、
前記複数のエラーのうちの少なくとも一つを検出するエラー検出手段、
前記記憶媒体と前記接続手段との接続を検出する接続検出手段、
前記エラー検出手段が前記エラーを検出し、前記接続検出手段が前記接続を検出した場合に、当該エラーに対応する詳細情報を前記記憶媒体より検索し、検索した当該エラーの詳細情報を読み込んで通知するエラー通知手段、
として機能させることを特徴とするプログラム。
【発明の詳細な説明】
【技術分野】
【０００１】
本発明は、ユーザに誤操作や誤動作等のエラーを通知するエラー情報案内装置、エラー情報案内方法、及びプログラムに関する。
【背景技術】
【０００２】
現在、ユーザに誤操作や誤動作等のエラーを通知するオーディオ装置が製品化されている（例えば、特許文献１参照）。
【特許文献１】特開２００５−１９０６０５号公報
【発明の開示】
【発明が解決しようとする課題】
【０００３】
しかし、上記のオーディオ装置では、表示部の表示桁や表示可能文字に制限があり、簡便なエラーの表示しかできない。そのため、ユーザは、表示されたエラーのメッセージの意味を特定することが困難である。
また、エラーを音声で通知するようにした場合には、その音声のデータを記憶するために記憶装置において大きな容量を使用してしまう。
【０００４】
本発明は、上記問題点に鑑みてなされたもので、簡便に確実にユーザにエラーを通知できるエラー情報案内装置、エラー情報案内方法、及びプログラムを提供することを目的とする。
【課題を解決するための手段】
【０００５】
上記目的を達成するために、本発明の第１の観点に係るエラー情報案内装置は、
電子機器の誤操作及び誤動作を含む複数のエラーのうちの少なくとも一つを検出するエラー検出手段と、
前記複数のエラーのうちの少なくとも一つの詳細情報を記憶する外部の記憶媒体に着脱可能に接続される接続手段と、
前記エラー検出手段が前記エラーを検出し、前記接続手段が前記記憶媒体と接続された場合に、検出された当該エラーに対応する詳細情報を前記記憶媒体より検索し、検索された当該エラーの詳細情報を読み込んで通知するエラー通知手段と、を備える、
ことを特徴とする。
【０００６】
例えば、前記エラー検出手段が前記エラーを検出した場合に、前記エラーを検出した旨を表示する表示手段をさらに備えてもよい。
【０００７】
例えば、前記エラー検出手段が検出するエラー毎に、前記表示手段が当該エラーを検出した旨の表示を終了する条件を対応付けて記憶されている記憶手段をさらに備え、
前記表示手段は、
前記記憶手段に前記エラーに対応付けて記憶されている条件が成立した時に、前記エラーを検出した旨の表示を終了してもよい。
【０００８】
例えば、前記エラー通知手段は、
前記エラー検出手段が前記エラーを検出してから、前記表示手段が表示を終了するまでの期間に、前記接続手段が前記記憶媒体と接続した場合に、前記記憶媒体から前記エラーの詳細情報を読み込んで通知することが可能であってもよい。
【０００９】
例えば、前記記憶手段に記憶されている条件は、前記エラーの解除の検出であってもよい。
【００１０】
例えば、前記記憶手段に記憶されている条件は、ユーザの操作の検出であってもよい。
【００１１】
例えば、前記エラー通知手段は、
前記エラー検出手段が前記エラーを検出してから、前記表示手段が表示を終了し、且つ、他の所定の条件が成立するまでの期間に、前記接続手段が前記記憶媒体と接続した場合に、前記記憶媒体から前記エラーの詳細情報を読み込んで通知することが可能であってもよい。
【００１２】
例えば、前記記憶手段に記憶されている条件は、前記エラー検出手段が前記エラーを検出してからの所定時間の経過であってもよい。
【００１３】
例えば、前記記憶手段に記憶されている条件は、前記エラー検出手段が前記エラーを検出してからの所定時間の経過であり、
前記他の所定の条件は、前記エラーの解除又はユーザの操作の検出であってもよい。
【００１４】
例えば、エラー通知手段が前記エラーの詳細情報を通知することが可能である期間に、当該通知可能な旨を報知する報知手段をさらに備えてもよい。
【００１５】
例えば、前記エラーの詳細情報は、テキストデータであり、
前記エラー通知手段は、文字を表示して前記エラーの詳細情報を通知してもよい。
【００１６】
例えば、前記エラーの詳細情報は、音声データであり、
前記エラー通知手段は、音声を出力して前記エラーの詳細情報を通知してもよい。
【００１７】
例えば、テキストデータを音声データに変換する変換手段をさらに備え、
前記エラーの詳細情報は、テキストデータであり、
前記変換手段は、前記記憶媒体が記憶する前記エラーの詳細情報をテキストデータから音声データに変換し、
前記エラー通知手段は、前記変換手段が音声データに変換した前記エラーの詳細情報を音声として出力してもよい。
【００１８】
例えば、前記電子機器はオーディオ装置又は映像装置であり、当該エラー情報案内装置は当該電子機器に含まれてもよい。
【００１９】
本発明の第２の観点に係るエラー情報案内方法は、
電子機器の誤操作及び誤動作を含む複数のエラーのうちの少なくとも一つの詳細情報を記憶する外部の記憶媒体に着脱可能に接続される接続手段を備えるエラー情報案内装置のエラー情報案内方法であって、
前記複数のエラーのうちの少なくとも一つを検出するエラー検出ステップと、
前記記憶媒体と前記接続手段との接続を検出する接続検出ステップと、
前記エラー検出ステップで前記エラーを検出し、前記接続検出ステップで前記接続を検出した場合に、当該エラーに対応する詳細情報を前記記憶媒体より検索し、検索した当該エラーの詳細情報を読み込んで通知するエラー通知ステップと、を備える、
ことを特徴とする。
【００２０】
本発明の第３の観点に係るプログラムは、
電子機器の誤操作及び誤動作を含む複数のエラーの詳細情報を記憶する外部の記憶媒体に着脱可能に接続される接続手段を備えるコンピュータを、
前記複数のエラーのうちの少なくとも一つを検出するエラー検出手段、
前記記憶媒体と前記接続手段との接続を検出する接続検出手段、
前記エラー検出手段が前記エラーを検出し、前記接続検出手段が前記接続を検出した場合に、当該エラーに対応する詳細情報を前記記憶媒体より検索し、検索した当該エラーの詳細情報を読み込んで通知するエラー通知手段、
として機能させることを特徴とする。
【発明の効果】
【００２１】
本発明によれば、簡便に確実にユーザに装置のエラーを通知できる。
【発明を実施するための最良の形態】
【００２２】
（第１の実施形態）
以下、本発明の第１の実施形態に係るオーディオ装置１００について説明する。オーディオ装置１００は、ＭＤやＣＤ等の光ディスク媒体の再生又は記録、放送波の受信及び再生を行い、その際のユーザによる誤操作や機械的な誤動作等のエラーを検出して、その旨を報知する。また、検出したエラーに関する詳細な案内情報を記憶した外部記憶媒体と接続することにより、その詳細な案内情報を読み込んでユーザに提供する。
【００２３】
オーディオ装置１００は、図１に示すように、メモリカードインタフェース１０と、ＵＳＢインタフェース１５と、デジタルシグナルプロセッサ（以下、ＤＳＰ）２０と、Ｄ／Ａ変換回路２５と、増幅回路３０と、スピーカ３５と、アナログ外部入力端子４０と、アンテナ４５と、チューナ回路５０と、ＭＤ（Mini Disc）ドライブ５５と、ＣＤ（Compact Disc）ドライブ６０と、アナログセレクタ６５と、Ａ／Ｄ変換回路７０と、デジタルセレクタ７５と、表示部８０と、操作部８５と、システムマイコン９０とを備える。なお、オーディオ装置１００は、メモリカード２００及びＵＳＢメモリ３００と接続可能であり、それらとの間でデータのやり取りが可能である。
【００２４】
メモリカードインタフェース１０は、メモリカード２００と着脱可能であり、メモリカード２００との着脱を検出して、ＤＳＰ２０を介してシステムマイコン９０に報知する。また、メモリカードインタフェース１０は、システムマイコン９０の制御のもと、メモリカード２００に格納されているデータをＤＳＰ２０に供給する。
【００２５】
ＵＳＢインタフェース１５は、ＵＳＢ（Universal Serial Bus）規格に準拠しており、ＵＳＢメモリ３００、又は、ＵＳＢ端子を備える外部装置と着脱可能であり、ＵＳＢメモリ３００との着脱を検出して、ＤＳＰ２０を介してシステムマイコン９０に報知する。また、ＵＳＢインタフェース１５は、システムマイコン９０の制御のもと、ＵＳＢメモリ３００に格納されているデータをＤＳＰ２０に供給する。
【００２６】
ＤＳＰ２０は、メモリカード２００、ＵＳＢメモリ３００、デジタルセレクタ７５の何れかより供給されたコンテンツデータ（デジタル音声信号）に、システムマイコン９０の制御に基づいた所定の処理を施してＤ／Ａ変換回路２５に供給する。
【００２７】
Ｄ／Ａ変換回路２５は、ＤＳＰ２０より供給されたデジタル音声信号をアナログ音声信号に変換して増幅回路３０に供給する。
【００２８】
増幅回路３０は、Ｄ／Ａ変換回路２５より供給されたアナログ音声信号を増幅してスピーカ３５に供給する。
【００２９】
スピーカ３５は、増幅回路３０より供給されたアナログ音声信号を音声として出力する。
【００３０】
アナログ外部入力端子４０は、外部装置と接続し、外部装置より供給されたアナログ音声信号をアナログセレクタ６５に供給する。
【００３１】
チューナ回路５０は、システムマイコン９０の制御のもと、システムマイコン９０が選択したチャンネルの放送波を受信して、受信した放送波を変換したコンテンツデータをアナログセレクタ６５に供給する。
【００３２】
ＭＤドライブ５５は、システムマイコン９０の制御のもと、図示しないＭＤ（Mini Disc）規格の光ディスク媒体を再生して得たデジタル信号をデジタルセレクタ７５に供給する。また、ＭＤドライブ５５は、システムマイコン９０の制御のもと、ＣＤドライブ６０より供給されたデジタル音声信号をＭＤ（Mini Disc）規格の光ディスク媒体に記録する。
【００３３】
ＣＤドライブ６０は、システムマイコン９０の制御のもと、図示しないＣＤ（Compact Disc）規格の光ディスク媒体を再生して得たデジタル音声信号をデジタルセレクタ７５に供給する。
【００３４】
アナログセレクタ６５は、アナログ外部入力端子４０とチューナ回路５０とから供給されたアナログ音声信号のうちから一を選択して、Ａ／Ｄ変換回路７０に供給する。
【００３５】
Ａ／Ｄ変換回路７０は、アナログセレクタ６５より供給されたアナログ音声信号をデジタル音声信号に変換してデジタルセレクタ７５に供給する。
【００３６】
デジタルセレクタ７５は、Ａ／Ｄ変換回路７０とＣＤドライブ６０とから供給されたデジタル信号のうちから一を選択して、ＤＳＰ２０に供給する。また、ＤＳＰ２０から供給されたデジタル信号をＭＤドライブ５５に供給する。
【００３７】
表示部８０は、図２に示すように、ＬＥＤ（Light Emitting Diode）から構成されるＨＥＬＰインジケータ８１や液晶ディスプレイ（Liquid Crystal Display）から構成される表示画面８２等を備え、システムマイコン９０の制御に基づいて、ユーザの操作に必要な情報等を表示又は報知する。
【００３８】
ＨＥＬＰインジケータ８１は、所定の時間、点灯することで、エラーの詳細な案内情報をメモリカード２００から読み取ってユーザに提供可能な旨を報知する。
【００３９】
表示画面８２は、テキスト表示欄８２ａと、受信周波数表示欄８２ｂと、選択ソース表示欄８２ｃとを備える。テキスト表示欄８２ａには、システムマイコン９０が検出した誤動作や誤操作等のエラーを示すテキストが表示される。受信周波数表示欄８２ｂには、チューナ回路５０で受信する放送波の受信方式及び受信周波数が表示される。選択ソース表示欄８２ｃには、使用されるソースを示す情報が表示される。
【００４０】
操作部８５は、操作キー等から構成され、ユーザの操作に応じた操作信号をシステムマイコン９０に供給する。
【００４１】
システムマイコン９０は、例えば、ＣＰＵ（Central Processing Unit）やＲＯＭ（Read Only Memory）やＲＡＭ（Random Access Memory）等から構成される。また、システムマイコン９０は、動作プログラムや種々のデータを記憶し、その動作プログラムと、操作部８５より供給された操作信号とに基づいて動作し、オーディオ装置１００全体を制御する。
具体的には、システムマイコン９０は、図３に示すようなエラーを検出する。例えば、システムマイコン９０は、「エラー番号」の「１」に示すような「ＭＤドライブ５５のＭＤディスクに何も録音されていない」状態を検出する。
また、システムマイコン９０は、図４に示すようなエラー簡易表示情報４００を記憶する。エラー簡易表示情報４００には、図３に示すエラー毎に、そのエラーを簡易表示するためのテキスト（「簡易表示テキスト」）と、そのテキストの簡易表示を終了する条件（「表示終了条件」）とが記載される。
【００４２】
システムマイコン９０は、エラーを検出した場合に、検出したエラーに対応する「簡易表示テキスト」を、その「表示終了条件」が成立するまで、テキスト表示欄８２ａに表示する。
例えば、システムマイコン９０は、図３に示すような、エラー番号１の「ＭＤディスクに何も録音されていない」状態を検出した場合に、図４に示すような、エラー番号１の「ＢＬＡＮＫ  ＤＩＳＣ」を、エラー状態解除まで、つまり、ＭＤディスクに何も録音されていない状態が解除されるまで表示（簡易表示）する。
例えば、システムマイコン９０は、図３に示すような、エラー番号４の「ＭＤディスク又はその他の記録媒体に録音可能なエリアがない」状態を検出した場合に、図４に示すような、エラー番号４の「ＤＩＳＣ  ＦＵＬＬ」を、一定時間、表示（簡易表示）する。
例えば、システムマイコン９０は、図３に示すような、エラー番号７の「ＭＤディスクに曲は録音されていないが、タイトルは書き込まれている」状態を検出した場合に、図４に示すような、エラー番号７の「ＮＯ  ＴＲＡＣＫＳ」を、ユーザが操作部８５を介して何らかの操作を行うまで表示（簡易表示）する。
【００４３】
また、システムマイコン９０は、エラーを検出した場合に、エラーによっては、その簡易表示の「表示終了条件」が成立するまで、ＨＥＬＰインジケータ８１を点灯させる。また、システムマイコン９０は、エラーを検出した場合に、エラーによっては、その簡易表示の「表示終了条件」及び他の条件が成立するまで、ＨＥＬＰインジケータ８１を点灯させる。
【００４４】
例えば、システムマイコン９０は、エラー番号１のエラーを検出した場合に、図４のエラー番号１の表示終了条件はエラー状態解除であるので、エラー状態解除までＨＥＬＰインジケータ８１を点灯させる。
例えば、システムマイコン９０は、エラー番号４のエラーを検出した場合に、図４のエラー番号４の表示終了条件は一定時間経過であるので、一定時間が経過し、且つ、何らかのキー操作又はエラー状態解除があるまでＨＥＬＰインジケータ８１を点灯させる。
例えば、システムマイコン９０は、エラー番号７のエラーを検出した場合に、図４のエラー番号７の表示終了条件はキー操作検出であるので、ユーザが操作部８５を介して何らかの操作を行うまでＨＥＬＰインジケータ８１を点灯させる。
【００４５】
また、システムマイコン９０は、ＨＥＬＰインジケータ８１を点灯させているときに、メモリカード２００の接続を検出した場合に、図５に示すような、メモリカード２００が記憶しているエラー詳細案内情報５００の案内ファイルを読み込んで、テキスト表示欄８２ａに表示する。
例えば、システムマイコン９０は、エラー番号１のエラーを検出し、ＨＥＬＰインジケータ８１を点灯させている場合において、メモリカード２００に記憶されているエラー詳細案内情報５００の案内ファイル「ＭＤディスクに何も録音されていません」を読み込んで、テキスト表示欄８２ａに表示する。
なお、エラー詳細案内情報５００は、例えば、一つのフォルダの中に各エラーの案内ファイルが格納される構成となっている。
【００４６】
また、システムマイコン９０は、ＲＡＭ内に、図６に示すような記憶領域６００を備え、検出したエラーの番号、及びＨＥＬＰインジケータ８１の点灯・消灯の状態を記憶領域６００に記憶する。
【００４７】
以下、上記構成のオーディオ装置１００の動作を説明する。
【００４８】
先ず、本発明の第１の実施形態に係るオーディオ装置１００が行うインジケータ点灯制御処理を、図７のフローチャートを参照して詳細に説明する。なお、インジケータ点灯制御処理は、定期的な割り込み処理で行われる。
【００４９】
先ず、システムマイコン９０は、図３に示すようなエラーを検出したか否かを判別する（ステップＳ１０１）。
【００５０】
エラーを検出していないと判別すると（Ｓ１０１；ＮＯ）、システムマイコン９０は、処理を終了する。
【００５１】
エラーを検出したと判別すると（Ｓ１０１；ＹＥＳ）、システムマイコン９０は、検出したエラーの番号を記憶領域６００に記憶し、エラー簡易表示情報４００を参照して、検出したエラーが、その簡易表示テキストを一定時間表示するものであるか否かを判別する（ステップＳ１０２）。
【００５２】
検出したエラーが、その簡易表示テキストを一定時間表示するものであると判別すると（Ｓ１０２；ＹＥＳ）、システムマイコン９０は、ＨＥＬＰインジケータ８１を点灯させ、記憶領域６００のフラグをＯＮにし、そのエラーの簡易表示テキストをテキスト表示欄８２ａに表示する（ステップＳ１０３）。
【００５３】
次に、システムマイコン９０は、エラーが検出されてから一定時間が経過したか否かを判別する（ステップＳ１０４）。
【００５４】
一定時間が経過していないと判別すると（Ｓ１０４；ＮＯ）、システムマイコン９０は、一定時間が経過するまでステップＳ１０４の処理を繰り返す。
【００５５】
一定時間が経過したと判別すると（Ｓ１０４；ＹＥＳ）、システムマイコン９０は、簡易表示テキストのテキスト表示欄８２ａにおける表示を終了し（ステップＳ１０５）、ユーザの操作又はエラー状態の解除があったか否かを判別する（ステップＳ１０６）。
【００５６】
ユーザの操作又はエラー状態の解除がないと判別すると（Ｓ１０６；ＮＯ）、システムマイコン９０は、ユーザの操作又はエラー状態の解除が検出されるまで、ステップＳ１０６の処理を繰り返す。
【００５７】
ユーザの操作又はエラー状態の解除があったと判別すると（Ｓ１０６；ＹＥＳ）、システムマイコン９０は、ＨＥＬＰインジケータ８１を消灯させ、記憶領域６００のフラグをＯＦＦにして（ステップＳ１０７）、処理を終了する。
【００５８】
検出したエラーが、その簡易表示テキストを一定時間表示するものではないと判別すると（Ｓ１０２；ＮＯ）、システムマイコン９０は、検出したエラーが、その簡易表示テキストをエラー状態の解除まで表示するものであるか否かを判別する（ステップＳ１０８）。
【００５９】
検出したエラーが、その簡易表示テキストをエラー状態の解除まで表示するものであると判別すると（Ｓ１０８；ＹＥＳ）、システムマイコン９０は、ＨＥＬＰインジケータ８１を点灯させ、記憶領域６００のフラグをＯＮにし、その簡易表示テキストをテキスト表示欄８２ａに表示する（ステップＳ１０９）。
【００６０】
次に、システムマイコン９０は、エラー状態が解除したか否かを判別する（ステップＳ１１０）。
【００６１】
エラー状態が解除していないと判別すると（Ｓ１１０；ＮＯ）、システムマイコン９０は、エラー状態の解除が検出されるまで、ステップＳ１１０の処理を繰り返す。
【００６２】
エラー状態が解除したと判別すると（Ｓ１１０；ＹＥＳ）、システムマイコン９０は、簡易表示テキストのテキスト表示欄８２ａにおける表示を終了し、ＨＥＬＰインジケータ８１を消灯させ、記憶領域６００のフラグをＯＦＦにして（ステップＳ１１１）、処理を終了する。
【００６３】
検出したエラーが、その簡易表示テキストをエラー状態の解除まで表示するものではないと判別すると（Ｓ１０８；ＮＯ）、システムマイコン９０は、検出したエラーが、その簡易表示テキストをユーザのキー操作まで表示するものであるか否かを判別する（ステップＳ１１２）。
【００６４】
検出したエラーが、その簡易表示テキストをユーザのキー操作まで表示するものではないと判別すると（Ｓ１１２；ＮＯ）、システムマイコン９０は、処理を終了する。
【００６５】
検出したエラーが、その簡易表示テキストをユーザのキー操作まで表示するものであると判別すると（Ｓ１１２；ＹＥＳ）、システムマイコン９０は、ＨＥＬＰインジケータ８１を点灯させ、記憶領域６００のフラグをＯＮにして、そのエラーの簡易表示テキストをテキスト表示欄８２ａに表示する（ステップＳ１１３）。
【００６６】
次に、システムマイコン９０は、ユーザのキー操作を検出したか否かを判別する（ステップＳ１１４）。
【００６７】
キー操作を検出していないと判別すると（Ｓ１１４；ＮＯ）、システムマイコン９０は、ユーザのキー操作が検出されるまで、ステップＳ１１４の処理を繰り返す。
【００６８】
ユーザのキー操作を検出したと判別すると（Ｓ１１４；ＹＥＳ）、システムマイコン９０は、簡易表示テキストのテキスト表示欄８２ａにおける表示を終了し、ＨＥＬＰインジケータ８１を消灯させ、記憶領域６００のフラグをＯＦＦにして（ステップＳ１１５）、処理を終了する。
【００６９】
このようにして、インジケータ点灯制御処理によれば、オーディオ装置１００は、検出したエラーの簡易表示の期間に基づいてＨＥＬＰインジケータ８１の点灯・消灯を行い、ユーザに詳細な案内情報による案内が可能か否かを報知することができる。
【００７０】
次に、本発明の第１の実施形態に係るオーディオ装置１００が行う案内制御処理を、図８のフローチャートを参照して詳細に説明する。なお、案内制御処理は、定期的な割り込み処理で行われる。また、上記インジケータ点灯制御処理と案内制御処理とは、並列処理で行われる。
【００７１】
先ず、システムマイコン９０は、記憶領域６００を参照して、ＨＥＬＰインジケータ８１が点灯中であるか否かを判別する（ステップＳ２０１）。
【００７２】
ＨＥＬＰインジケータ８１が点灯中ではないと判別すると（Ｓ２０１；ＮＯ）、システムマイコン９０は、処理を終了する。
【００７３】
ＨＥＬＰインジケータ８１が点灯中であると判別すると（Ｓ２０１；ＹＥＳ）、システムマイコン９０は、メモリカード２００のメモリカードインタフェース１０への接続を検出したか否かを判別する（ステップＳ２０２）。
【００７４】
メモリカード２００の接続を検出していないと判別すると（Ｓ２０２；ＮＯ）、システムマイコン９０は、メモリカード２００が記憶するデータを読み込む（ステップＳ２０３）。
【００７５】
次に、システムマイコン９０は、メモリカード２００にエラー詳細案内情報５００のフォルダが格納されているか否かを判別する（ステップＳ２０４）。
【００７６】
メモリカード２００にエラー詳細案内情報５００のフォルダが格納されていないと判別すると（Ｓ２０４；ＮＯ）、システムマイコン９０は、処理を終了する。
【００７７】
メモリカード２００にエラー詳細案内情報５００のフォルダが格納されていると判別すると（Ｓ２０４；ＹＥＳ）、システムマイコン９０は、エラー詳細案内情報５００のフォルダ内を検索して、記憶領域６００に書き込まれているエラー番号に対応する案内ファイルがあるか否かを判別する（ステップＳ２０５）。
【００７８】
対応する案内ファイルが無いと判別すると（Ｓ２０５；ＮＯ）、システムマイコン９０は、処理を終了する。
【００７９】
対応する案内ファイルがあると判別すると（Ｓ２０５；ＹＥＳ）、システムマイコン９０は、その案内ファイルの再生、つまり、そのファイルのテキストをテキスト表示欄８２ａへ表示開始する（ステップＳ２０６）。
【００８０】
次に、システムマイコン９０は、記憶領域６００を参照して、ＨＥＬＰインジケータ８１が消灯したか否かを判別する（ステップＳ２０７）。
【００８１】
ＨＥＬＰインジケータ８１が消灯したと判別すると（Ｓ２０７；ＹＥＳ）、システムマイコン９０は、案内ファイルの再生を停止し（ステップＳ２０８）、処理を終了する。
【００８２】
ＨＥＬＰインジケータ８１が点灯中であると判別すると（Ｓ２０７；ＮＯ）、システムマイコン９０は、案内ファイルの再生が終了したか否かを判別する（ステップＳ２０９）。
【００８３】
案内ファイルの再生が終了したと判別すると（Ｓ２０９；ＹＥＳ）、システムマイコン９０は、処理を終了する。
【００８４】
案内ファイルの再生が終了していないと判別すると（Ｓ２０９；ＮＯ）、システムマイコン９０は、ユーザによる操作部８５を介したキー操作があったか否かを判別する（ステップＳ２１０）。
【００８５】
キー操作が無かったと判別すると（Ｓ２１０；ＮＯ）、システムマイコン９０は、処理をステップＳ２０７に戻す。
【００８６】
キー操作があったと判別すると（Ｓ２１０；ＹＥＳ）、システムマイコン９０は、案内ファイルの再生を停止し（ステップＳ２０８）、処理を終了する。
【００８７】
このようにして、案内制御処理によれば、オーディオ装置１００は、ＨＥＬＰインジケータ８１が点灯しているときに、メモリカード２００を接続することによって、検出されたエラーに関する詳細な案内情報を出力することができる。
【００８８】
以上、第１の実施形態に係るオーディオ装置１００は、エラーを検出し、そのエラーの種類に対応する条件が成立するまでエラーの簡易表示を行う。そして、オーディオ装置１００は、エラーの種類に対応する条件が成立するまで、詳細な案内情報を提供可能な旨を、ＨＥＬＰインジケータ８１を点灯させて報知する。オーディオ装置１００は、ＨＥＬＰインジケータ８１の点灯中に、エラー詳細案内情報５００を記憶したメモリカード２００と接続すると、エラーに対応した案内を行う。
従って、ユーザは、外部メモリを接続することで、より詳細なエラーに関する案内を受けることができ、利便性が向上する。
【００８９】
（第２の実施形態）
第１の実施形態において、エラー詳細案内情報５００のフォルダ内の案内ファイルは、テキストデータであり、オーディオ装置１００は、検出したエラーに対応する案内ファイルの案内をテキストで表示した。しかし、第２の実施形態においては、エラー詳細案内情報５００のフォルダ内の案内ファイルを案内の音声データとし、オーディオ装置１００は、検出したエラーに対応する案内ファイルの案内を音声で出力するようにしてもよい。
【００９０】
メモリカード２００は、案内ファイルが音声データであるエラー詳細案内情報５００を記憶する。なお、他の構成は、第１の実施形態と同様である。
【００９１】
第２の実施形態によれば、エラー詳細情報５００のフォルダ内の案内ファイルは音声データであるので、案内ファイルを日本語以外の言語による案内の音声データとすれば、オーディオ装置１００は、日本語以外の言語による案内を行うことができる。
【００９２】
（第３の実施形態）
第３の実施形態においては、エラー詳細案内情報５００のフォルダ内の案内ファイルはテキストデータであり、オーディオ装置１００は、検出したエラーに対応する案内ファイルのテキストデータに基づいて音素データ（発話データ）を合成して、音声データを生成し、その音声データに基づく音声を出力するようにしてもよい。
【００９３】
この場合の音素データは、オーディオ装置１００内またはメモリカード２００内のいずれに格納してもよく、音声データの合成は、オーディオ装置１００内のＤＳＰ２０等を用いて行う。
【００９４】
第３の実施形態における案内制御処理を、図９に示すフローチャートを参照しながら説明する。
【００９５】
図９のステップＳ３０１〜３０５は、図８のステップＳ２０１〜２０５と同様である。
【００９６】
ステップＳ３０６において、システムマイコン９０は、記憶領域６００に記憶されたエラー番号に対応するテキストデータに基づき音声データを合成する。
【００９７】
図９のステップＳ３０７〜３１２は、図８のステップＳ２０６〜２１１と同様であり、対応エラーの案内ファイルに基づき、音声を用いて再生することが異なる。なお、他の処理も第１の実施形態と同様である。
【００９８】
第３の実施形態によれば、テキストデータに基づき音声データを合成するため、案内ファイルを音声データとして記憶する場合より、容量を小さくすることができる。
【００９９】
（第４の実施形態）
第１乃至３の実施形態においては、オーディオ装置１００は、ＨＥＬＰインジケータ８１を点灯させることによって、案内ファイルを再生可能である旨を報知したが、第４の実施形態においては、スピーカ３５にビープ音を出力させることによって、その旨を報知してもよい。
【０１００】
第４の実施形態に係るオーディオ装置１００’は、図１０に示すように、増幅回路３０とスピーカ３５との間にスイッチ回路９５を備える。
【０１０１】
システムマイコン９０は、ビープ信号を生成してスイッチ回路９５に供給する。スイッチ回路９５は、システムマイコン９０の制御に基づいて、増幅回路３０より供給されたアナログ音声信号とシステムマイコン９０より供給されたビープ信号とのうちの一を選択してスピーカ３５に供給する。
【０１０２】
第４の実施形態に係るオーディオ装置１００’は、ＨＥＬＰインジケータ８１を点灯させる代りに、又は、それと同時にビープ音を出力する。
【０１０３】
第４の実施形態によれば、ビープ音を出力して報知するので、ＨＥＬＰインジケータ８１を点灯して報知する場合よりも、確実にユーザに報知することができる。
【０１０４】
なお、本発明は上記実施形態に限定されず、種々の応用及び変形が可能である。
【０１０５】
上記実施形態においては、メモリカード２００にエラー詳細案内情報５００を記憶させて、オーディオ装置１００，１００’は、メモリカード２００が接続された時に、そのエラー詳細案内情報５００の案内ファイルを再生した。しかし、ＵＳＢメモリ３００にエラー詳細案内情報５００を記憶させて、オーディオ装置１００，１００’は、ＵＳＢメモリ３００が接続された時に、そのエラー詳細案内情報５００の案内ファイルを再生するようにしてもよい。
また、エラー詳細案内情報５００を記憶させる媒体は、他の電子機器であってもよい。
【０１０６】
また、上記実施形態においては、エラー情報案内装置としてオーディオ装置を適用したが、動画又は静止画等の映像及び音声を再生する装置であってもよい。
【０１０７】
また、その他、具体的な細部構成等についても適宜変更可能である。
【図面の簡単な説明】
【０１０８】
【図１】本発明の第１の実施形態に係るオーディオ装置の構成図である。
【図２】図１の表示部の図である。
【図３】エラーの一覧を示す図である。
【図４】エラー簡易表示情報を説明するための図である。
【図５】エラー詳細案内情報を説明するための図である。
【図６】記憶領域を説明するための図である。
【図７】第１の実施形態におけるインジケータ点灯制御処理を説明するためのフローチャートである。
【図８】第１の実施形態における案内制御処理を説明するためのフローチャートである。
【図９】第３の実施形態における案内制御処理を説明するためのフローチャートである。
【図１０】第４の実施形態に係るオーディオ装置の構成図である。
【符号の説明】
【０１０９】
１０      メモリカードインタフェース
１５      ＵＳＢインタフェース
２０      デジタルシグナルプロセッサ（ＤＳＰ）
２５      Ｄ／Ａ変換回路
３０      増幅回路
３５      スピーカ
４０      アナログ外部入力端子
４５      アンテナ
５０      チューナ回路
５５      ＭＤドライブ
６０      ＣＤドライブ
６５      アナログセレクタ
７０      Ａ／Ｄ変換回路
７５      デジタルセレクタ
８０      表示部
８５      操作部
９０      システムマイコン
９５      スイッチ回路
１００    オーディオ装置
１００’  オーディオ装置
２００    メモリカード
３００    ＵＳＢメモリ
４００    エラー簡易表示情報
５００    エラー詳細案内情報
６００    記憶領域
【図１】
2009187618.tif 000003
【図２】
2009187618.tif 000004
【図３】
2009187618.tif 000005
【図４】
2009187618.tif 000006
【図５】
2009187618.tif 000007
【図６】
2009187618.tif 000008
【図７】
2009187618.tif 000009
【図８】
2009187618.tif 000010
【図９】
2009187618.tif 000011
【図１０】
2009187618.tif 000012